(57)【要約】【課題】扉のガスケットから冷蔵庫本体の開口部へ外部の熱が侵入するのを低減した冷蔵庫を提供する。【解決手段】断熱箱体１１の開口部前面に、ヒンジ１２による回転式の断熱扉１０を備え、内箱１５開口縁部に内箱１５と別部材の凹部１７と、断熱扉１０の貯蔵室側周縁に凸部１３を設け、凹部１７と凸部１３を対向させてスロート１００を形成して冷却風が直接ガスケット２５，２６やシール部に当らないようにして外部熱の侵入を低減する。【選択図】  図１
2005016876.tif 000002
【特許請求の範囲】
【請求項１】
外箱と内箱の間に断熱材を封入して構成した断熱箱体と、扉外板と扉内板の間に断熱材を封入して構成したヒンジによる回転式の断熱扉と、前記断熱箱体の開口部に前記断熱扉を取付けて内部に構成した貯蔵室とからなり、前記断熱箱体の開口周縁に設けた平面部と、前記平面部と内箱をつなぐ凹部と、前記凹部の奥端に設けた段差部と、前記断熱扉の前記貯蔵室側周縁に設けた平面部と、前記平面部より立ち上げられた先端に折返部を設けて前記凹部の段差部より手前側に配置されるように前記扉内板に設けた凸部と、前記断熱箱体の平面部と断熱扉の平面部及び前記凹部と前記扉内板の凸部をそれぞれ対向させてスロートを形成したことを特徴とする冷蔵庫。
【請求項２】
金属製の外箱と、金属製の内箱で形成し、凹部は樹脂材料で形成されていることを特徴とする請求項１に記載の冷蔵庫。
【請求項３】
凸部は扉の上下辺及びヒンジに対向する辺の３辺に備えられ、略コの字型に形成されていることを特徴とする請求項１または２に記載の冷蔵庫。
【請求項４】
凹部と凸部を対向して形成される凸部は５ｍｍ以上１５ｍｍ以下としたことを特徴とする請求項１から３のいずれか１項に記載の冷蔵庫。
【請求項５】
凸部の幅を５ｍｍ以上２０ｍｍ以下としたことを特徴とする請求項１から４のいずれか１項に記載の冷蔵庫。
【請求項６】
凸部の長さを３５ｍｍ以上５０ｍｍ以下としたことを特徴とする請求項１から５のいずれか１項に記載の冷蔵庫。
【請求項７】
凸部の折返部にシール部材を設け、閉扉時に凹部の段差部に当接して凸部と貯蔵室内の間をシールすることを特徴とする請求項１から６のいずれか１項に記載の冷蔵庫。
【請求項８】
断熱箱体の開口部を左右に仕切る仕切板を有し、前記開口部に観音開式の扉を備えたことを特徴とする請求項１から７のいずれか１項に記載の冷蔵庫。
【発明の詳細な説明】
【０００１】
【発明の属する技術分野】
本発明は、冷蔵庫に関し、業務用の大型冷凍冷蔵庫の省エネに関わる断熱箱体および断熱扉の構造に関するものである。
【０００２】
【従来の技術】
近年、冷凍業界では環境への配慮から、家庭用冷蔵庫では２００４年に、物品自動販売機では２００５年に省エネトップランナー制度が適用される予定であり、機器の消費電力量低減が進んでいる。同様に、消費電力量の大きい業務用の大型冷凍冷蔵庫についても省電力化が望まれている。
【０００３】
従来の業務用冷蔵庫としては、以下に示す例がある（例えば、特許文献１参照。）。
【０００４】
以下、図面を参照しながら上記従来の冷蔵庫を説明する。
【０００５】
図７は従来の冷蔵庫の縦断面図である。図８は従来の冷蔵庫の横断面図である。図７及び図８に示すように、従来の冷蔵庫は、断熱材により形成し、前面に開口部を持つ断熱箱体１と、断熱箱体１上部に収納された冷却システム２と、断熱箱体１にヒンジ（図示せず）により回動自在に軸支された観音開式の２枚の扉３を備えている。
【０００６】
断熱箱体１開口部には開口部を左右に仕切るピラー４を備えている。
【０００７】
扉３には断熱箱体１及びピラー４に対応した位置にガスケット５を設けており、扉３を閉めた時に断熱箱体１及びピラー４と密着することにより庫内と庫外を仕切っている。
【０００８】
断熱箱体１背面には冷却風を循環させるダクト６を備えている。
【０００９】
断熱箱体１内部には、庫内背面からピラー４の庫内側端面までの奥行きの、被冷却物を収納する収納棚７を備えている。
【００１０】
一般的に家庭用冷凍冷蔵庫においては、扉３の庫内側のにはボトルなど、被冷却物を収納する収納ポケットを備えているが、業務用冷凍冷蔵庫においては庫内に収納される被冷却物は箱に入っている物が多く、扉３の庫内側に収納ポケットがあると、庫内前面の被冷却物と収納ポケットの間にすき間が無くなり、冷却風が循環しにくくなるため、扉３の庫内側には収納ポケッを持たず、平面となっている。
【００１１】
従って、庫内の断熱箱体１前縁からピラー４の庫内側端面までは収納に使われず、風路として使われている。
【００１２】
冷却システム２は、圧縮機（図示せず）、凝縮器（図示せず）、減圧手段（図示せず）、蒸発器８及び冷却ファン９により構成されており、冷却ファン９による冷却風は庫内へ吹き出され、ダクト６、蒸発器８を通り再び冷却ファン９に吸い込まれる。
【００１３】
【特許文献１】
特開平９−８９４４０号公報
【００１４】
【発明が解決しようとする課題】
しかしながら、上記従来の冷蔵庫では、冷却ファン９から吹き出された冷却風は直接ガスケット５や断熱箱体１と扉３のシール部に当たり、ガスケット５やシール部を冷却する。ガスケット５やシール部が冷却されると、ガスケット５やシール部の伝熱により庫外の熱が庫内へ侵入し、庫内が暖められ熱ロスとなり、消費電力量が増加するおそれがあった。
【００１５】
また、シール部が冷却されることにより、シール部で外気の水分が凝縮し結露するため、通常はシール部にはヒーターなどの過熱手段が設けられており、温度を空気の露点温度以上とし、水分が凝縮しないようになっている。従来の構成においては、冷却ファン９による冷却風が直接シール部に当たることにより、シール部が冷却され、温度を空気の露点温度以上とするにはより大きなヒーター能力が必要となり、ヒーターの消費電力量が大きくなるおそれがあった。
【００１６】
本発明は上記従来の課題を解決するものであり、冷却ファン９による冷却風をガスケット５やシール部に直接当てないことにより消費電力量を低減することを目的とする。
【００１７】
【課題を解決するための手段】
本発明の請求項１に記載の冷蔵庫の発明は、外箱と内箱の間に断熱材を封入して構成した断熱箱体と、扉外板と扉内板の間に断熱材を封入して構成したヒンジによる回転式の断熱扉と、前記断熱箱体の開口部に前記断熱扉を取付けて内部に構成した貯蔵室とからなり、前記断熱箱体の開口周縁に設けた平面部と、前記平面部と内箱をつなぐ凹部と、前記凹部の奥端に設けた段差部と、前記断熱扉の前記貯蔵室側周縁に設けた平面部と、前記平面部より立ち上げられた先端に折返部を設けて前記凹部の段差部より手前側に配置されるように前記扉内板に設けた凸部と、前記断熱箱体の平面部と断熱扉の平面部及び前記凹部と前記扉内板の凸部をそれぞれ対向させてスロートを形成したものであり、外気による侵入熱を低減することができる。
【００１８】
本発明の請求項２に記載の発明は、請求項１に記載の発明において、金属製の外箱と、金属製の内箱で形成し、凹部は樹脂材料で形成されているものであり、開口部近傍に熱伝導性の低い樹脂材料で形成しているため外部からの侵入熱を低減することができる。
【００１９】
本発明の請求項３に記載の発明は、請求項１または２に記載の発明において、凸部は扉の上下辺及びヒンジに対向する辺の３辺に備えられ、略コの字型に形成されているものであり、扉を開いた時に凸部が庫内に突出することがなく、食品を入れる際に邪魔になることがないので使い勝手のよい冷蔵庫を提供することができるという作用を有する。
【００２０】
本発明の請求項４に記載の発明は、請求項１から３のいずれか１項に記載の発明において、凹部と凸部を対向して形成される凸部は５ｍｍ以上１５ｍｍ以下としたものであり、凸部と凹部が接触し、扉が破損することはなく、信頼性の高い冷蔵庫とすることができるという作用を有する。
【００２１】
本発明の請求項５に記載の発明は、請求項１から４のいずれか１項に記載の発明において、凸部の幅を５ｍｍ以上２０ｍｍ以下としたものであり、凸部の効果が大きく庫内容積の減少も最小にでき、消費電力量が低く、容積効率の高い冷蔵庫とすることができるという作用を有する。
【００２２】
本発明の請求項６に記載の冷蔵庫の発明は、請求項１から５のいずれか１項に記載の発明において、凸部の長さを３５ｍｍ以上５０ｍｍ以下としたものであり、凸部の効果が大きく庫内容積の減少も最小にでき、さらに消費電力量が低く、容積効率の高い冷蔵庫とすることができるという作用を有する。
【００２３】
本発明の請求項７に記載の発明は、請求項１から６のいずれか１項に記載の発明において、凸部の折返部にシール部材を設け、閉扉時に凹部の段差部に当接して凸部と貯蔵室内の間をシールするものであり、外気による侵入熱をさらに低減することができる。
【００２４】
本発明の請求項８に記載の発明は、請求項１から７のいずれか１項に記載の発明において、断熱箱体の開口部を左右に仕切る仕切板を有し、前記開口部に観音開式の扉を備えたものであり、仕切板と扉間からの外気熱の庫内への貫流が抑止される。
【００２５】
【発明の実施の形態】
以下、本発明による冷蔵庫の実施の形態について、図面を参照しながら説明する。なお、従来と同一構成については、同一符号を付して詳細な説明を省略する。
【００２６】
（実施の形態１）
図１は、本発明の実施の形態１による冷蔵庫の縦断面図である。図２は図１の要部拡大図である。図３は同実施の形態のヒンジに対向する扉シール部の横断面図である。図４は同実施の形態の凸部の幅と省エネ効果の関係を表す特性図である。図５は同実施の形態の凸部の長さと省エネ効果の関係を表す特性図である。
【００２７】
図１から図３に示すように、扉１０は断熱箱体１１と、ヒンジ１２を介して回動自在に軸支されており、庫内側にヒンジ１２に対向する辺１３ａおよび上下辺１３ｂで略コの字型に突出した凸部１３を備えている。
【００２８】
断熱箱体１１は金属製の外箱１４と金属製の内箱１５で断熱材１６を挟み込むように構成されており、樹脂製の凹部１７により断熱箱体１１の開口部近傍で連結されている。
【００２９】
凹部１７は少なくとも扉１０を閉じた時に凸部１３の端部までの長さがあり、凸部１３端部で庫内側に向かって突出した形状となっている。
【００３０】
また、凸部１３の折返部１３ｃにはシール部材１８を備えており、扉１０を閉じた時に凹部１７の段差部１７ａに当接してスロート１００をシールしている。
【００３１】
凸部１３の長さは３５ｍｍから５０ｍｍであり、幅は５ｍｍから２０ｍｍとなっている。
【００３２】
凸部１３と凹部１７で形成されるスロート１００は幅Ａが５ｍｍ以上１５ｍｍ以下となっており、ヒンジ１２に対向する辺１３ａの凸部１３はヒンジ１２に対してヒンジ１２から凸部１３外側までの距離を半径とする円弧状となっている。
【００３３】
また、凸部１３のヒンジ１２と対向する凹部１７は凸部１３と５ｍｍ以上１５ｍｍ以下のスロート１００を保つような円弧状となっている。
【００３４】
また、断熱箱体１１の前縁部には防露ヒーター１９を備えており、断熱箱体１１の前縁部に水分が凝縮しないように加温している。
【００３５】
以上のように構成された冷蔵庫について、以下その動作を説明する。
【００３６】
冷蔵庫運転中、冷却ファン９の運転により庫内を冷却風が循環する。この時、扉１０には凸部１３が突出しており、ガスケット５や扉１０と断熱箱体１１のシール部には直接風が当たらず冷却されることはない。
【００３７】
また、凹部１７はＡＢＳ樹脂などの樹脂材料で構成されており、内箱１５の熱伝導により扉１０と断熱箱体１１のシール部が冷却されることはない。
【００３８】
また、凹部１７は凸部１３の端部で段差部１７ａを形成し庫内側に突出しているため、凹部１７と凸部１３のスロート１００はカギ型となり、凸部１３と凹部１７のスロート１００が冷却されても扉１０と断熱箱体１１のシール部まで熱伝達しにくくなることにより冷却されにくくなる。
【００３９】
また、凸部１３と凹部１７の間にシール部材１８を設け、スロート１００をシールしたので、冷却風が凸部１３と凹部１７の間のスロート１００に流れ込むことはなく、扉１０と断熱箱体１１のシール部が冷却されることはない。
【００４０】
これにより、扉１０と断熱箱体１１のシール部からの侵入熱量を低減できるとともに、断熱箱体１１前縁部の温度を上げることができ、防露ヒーター１９の入力を低減することができる。
【００４１】
さらに、凸部１３と凹部１７には５ｍｍ以上１５ｍｍ以下のスロート１００が設けてある。
【００４２】
ここで凸部１３と凹部１７のスロート１００が５ｍｍ以下だったとすると、扉１０の傾きにより凸部１３と凹部１７が当たり、破損してしまうおそれがある。
【００４３】
しかしながら、通常使用において、扉１０の傾きは、もっとも移動する位置で５ｍｍ以内に抑えることが可能なため、凸部１３と凹部１７が当たることはない。
【００４４】
また、凸部１３の長さと幅については、特性図４、５より長さＢが３５ｍｍ以上になると長さの増加に対する省エネ効果は小さくなり、幅が５ｍｍ以上になると幅の増加に対する省エネ効果は小さくなる。
【００４５】
これに対して、庫内の棚の前縁部は断熱箱体９の前縁部から長さＢが約５０ｍｍであり、凸部長さが５０ｍｍ以内であれば、業務用冷蔵庫の特徴である庫内前面の風路を阻害せず凸部１３を構成することが可能であり、扉１０内に凸部１３があることにより冷却風量を減少させることがない
また、凸部幅Ｃが２０ｍｍを越えると断熱箱体１１の開口部の横幅いっぱいの被冷却物を入れた時に扉１０を閉めると被冷却物と凸部１３が当たってしまい、扉１０が破損するおそれがある。
【００４６】
しかしながら、本発明の冷蔵庫においては、凸部１３の長さＢを３５ｍｍから５０ｍｍの間とし、幅Ｃを５ｍｍから２０ｍｍの間としているため、省エネ効果が高く、庫内容積を大きくでき、扉１０の破損を防止することができる。
【００４７】
また、扉１０のヒンジ１２側に凸部１３を設けると、扉１０を開けた時に凸部１３が断熱箱体１１の開口部に突出し、庫内に被冷却物を入れる際の邪魔になる。
【００４８】
しかしながら、本発明の冷蔵庫においては、凸部１３はヒンジ１２に対向する辺１３ａおよび上下辺１３ｂで略コの字型に形成されており、庫内に被冷却物を入れる際に邪魔になることはない。
【００４９】
また、凸部１３を設けた扉１０を開閉すると、凸部１３のヒンジ１２と対向する辺が開閉の際に外側に膨らむため、凸部１３と凹部１７のスロート１００を大きくしなければならない。
【００５０】
しかしながら、本発明の冷蔵庫においては、凸部１３のヒンジ１２と逆側の面はヒンジ１２に対して、ヒンジ１２から凸部１３外側までの距離を半径とする円弧状となっているとともに、凸部１３のヒンジ１２と逆側に対応する凹部１７は凸部１３と５ｍｍ以上１５ｍｍ以下のスロート１００を保つような円弧状となっているため、扉１０の開閉により凸部１３と凹部１７の距離は一定に保たれ、スロート１００を小さくすることができ、省エネ効果も大きくできる。
【００５１】
従って、圧縮機及び防露ヒーター１９の入力を低減することができ、消費電力量の低い冷蔵庫とすることができる。
【００５２】
また、凸部１３と凹部１７の当たりを防ぐことにより信頼性の高い冷蔵庫とすることができる。
【００５３】
また、庫内容積を大きくできるとともに、庫内に被冷却物を入れる際に凸部１３が邪魔にならないことにより、使い勝手の良い冷蔵庫とすることができる。
【００５４】
なお、本実施の形態は業務用冷蔵庫を例に挙げて説明を行ったが、扉の庫内側に収納ポケットを持たない構造であれば、家庭用冷蔵庫でも同様の効果が得られる。
【００５５】
また、本実施の形態は冷蔵庫について説明を行ったが、庫内を温める温蔵庫においても同様の効果が得られる。
【００５６】
また、本実施の形態において、扉１０と凸部１３は、別体で作り、後から固定させる方法でも効果が得られるが、扉１０と凸部１３を一体で発泡することにより断熱効果が高まり、より大きな省エネ効果が得られる。
【００５７】
また、凸部１３の位置はヒンジ１２の辺に対向する辺１３ａと上下辺１３ｂの略コの字型として説明したが、冷却室が複数存在する冷蔵庫においては、少なくとも冷却室と冷却室の間に凸部１３を設けることにより省エネ効果が得られる。
【００５８】
また、内箱１５は金属製として説明をしたが、樹脂など金属以外の材料で作られた内箱１５においても同様の効果が得られる。
【００５９】
また冷蔵庫断熱箱体１１の上部に圧縮機、凝縮器、減圧手段等の機械室２００を配置し、天面１１ａに蒸発器８を配置し、蒸発器８の前後方向に冷却ファン９を配置した冷蔵庫では、冷却ファン９からの冷気がガスケット５側へ対流しやすく、ガスケット５に対する熱伝達係数が大きくなって外部からの侵入熱が増加しやすいが、上記の扉構造と内箱構造によれば、侵入熱を低減し省エネ効果の高い冷蔵庫を提供することができる。
【００６０】
（実施の形態２）
図６は、本発明の実施の形態２による冷蔵庫の横断面図である。
【００６１】
図６に示すように、断熱箱体２０には観音開きの左扉２１及び右扉２２がそれぞれ左ヒンジ２３及び右ヒンジ２４によって回動自在に軸支されている。
【００６２】
左扉２１及び右扉２２の断熱箱体２０の庫内側外縁部には左ガスケット２５及び右ガスケット２６が固定されており、断熱箱体２０との間をシールする。
【００６３】
また、左扉２１には左ヒンジ２３と逆側に仕切板２７が左ガスケット２５の左ヒンジ２３と逆側と当接するように固定されており、左扉２１及び右扉２２を閉じた際には右ガスケット２６の右ヒンジ２４と逆側とも当接するよう構成されている。
【００６４】
また、左扉２１及び右扉２２の庫内側には、左ヒンジ２３側及び右ヒンジ２４側以外にコの字型に突出した左凸部２８及び右凸部２９を備えている。
【００６５】
断熱箱体２０は金属製の外箱３０と金属製の内箱３１で断熱材３２を挟むように構成されており、樹脂製の凹部３３により断熱箱体２０の開口部近傍で連結されている。
【００６６】
左凸部２８及び右凸部２９の長さは３５ｍｍから５０ｍｍであり、幅は５ｍｍから２０ｍｍとなっている。
【００６７】
左凸部２８及び右凸部２９と凹部３３及び仕切板２７のスロート１００は５ｍｍ以上１５ｍｍ以下となっており、右凸部２９の右ヒンジ２４と逆側は右ヒンジ２４に対して右ヒンジ２４から右凸部２９の外側までの距離を半径とする円弧状となっている。
【００６８】
また、仕切板２７の右凸部２９側は右凸部２９と５ｍｍ以上１５ｍｍ以下のスロート１００を保つような円弧状となっている。
【００６９】
また、断熱箱体２０の前縁部には防露ヒーター３５を備えており、断熱箱体２０の前縁部に水分が凝縮しないように加温している。
【００７０】
以上のように構成された冷蔵庫について、以下その動作を説明する。
【００７１】
左扉２１及び右扉２２が閉まっている時、左扉２１及び右扉２２と断熱箱体２０の間は左ガスケット２５及び右ガスケット２６と仕切板２７によってシールされており、庫内の冷気は庫外へ逃げることはない。
【００７２】
これに対して左扉２１及び右扉２２が開いている時は、仕切板２７は左扉２１に固定されているため、断熱箱体２０の開口部には左扉２１と右扉２２の間をシールする部材が必要ないため、開口部に障害物が無く、開口部全面を有効に利用できる。
【００７３】
そして、このような構造の冷蔵庫において、上記した左凸部２８及び右凸部２９の構造としたので、実施の形態１と同様の効果を得ることができる。
【００７４】
従って、圧縮機及び防露ヒーター３５の入力を低減することができ、消費電力量の低い冷蔵庫とすることができる。
【００７５】
また、左凸部２８及び右凸部２９と仕切板２７及び凹部３３との当たりを防ぐことにより信頼性の高い冷蔵庫とすることができる。
【００７６】
また、庫内容積を大きくできるとともに、庫内に被冷却物を入れる際に左凸部２８及び右凸部２９が邪魔にならないことにより、使い勝手の良い冷蔵庫とすることができる。
【００７７】
なお、本実施の形態において、仕切板２７の材質については限定していないが、樹脂などの熱伝導率の低い材料によって構成することにより、大きな効果が得られる。
【００７８】
また、本実施の形態では、仕切板２７によって左扉２１と右扉２２の間をシールする構造において説明したが、仕切板２７を使わずに左ガスケット２５と右ガスケット２６を直接当てることにより、左扉２１と右扉２２の間をシールする構成においても、左凸部２８及び右凸部２９を備えた構成とすることによって同様の効果が得られる。
【００７９】
【発明の効果】
以上説明したように請求項１に記載の冷蔵庫の発明は、外箱と内箱の間に断熱材を封入して構成した断熱箱体と、扉外板と扉内板の間に断熱材を封入して構成したヒンジによる回転式の断熱扉と、前記断熱箱体の開口部に前記断熱扉を取付けて内部に構成した貯蔵室とからなり、前記断熱箱体の開口周縁に設けた平面部と、前記平面部と内箱をつなぐ凹部と、前記凹部の奥端に設けた段差部と、前記断熱扉の前記貯蔵室側周縁に設けた平面部と、前記平面部より立ち上げられた先端に折返部を設けて前記凹部の段差部より手前側に配置されるように前記扉内板に設けた凸部と、前記断熱箱体の平面部と断熱扉の平面部及び前記凹部と前記扉内板の凸部をそれぞれ対向させてスロートを形成したものであり、冷却ファンによる冷却風は直接ガスケットやシール部に当たらず、ガスケットやシール部を冷却することがないので熱ロスが少なく消費電力量の低い冷蔵庫とすることができる。
【００８０】
また、請求項２に記載の発明は、請求項１に記載の発明において、金属製の外箱と、金属製の内箱で形成し、凹部は樹脂材料で形成されているものであり、より熱ロスが少なく消費電力量の低い冷蔵庫とすることができる。
【００８１】
また、本発明の請求項３に記載の発明は、請求項１または２に記載の発明において、凸部は扉の上下辺及びヒンジに対向する辺の３辺に備えられ、略コの字型に形成されているものであり、扉を開いた時に凸部が庫内に突出することがなく、食品を入れる際に邪魔になることがないので使い勝手のよい冷蔵庫を提供することができる。
【００８２】
また、請求項４に記載の冷蔵庫の発明は、請求項１から３のいずれか１項に記載の発明において、凹部と凸部を対向して形成される凸部は５ｍｍ以上１５ｍｍ以下としたものであり、凸部と凹部が接触し、扉が破損することはなく、信頼性の高い冷蔵庫とすることができる。
【００８３】
また、請求項５に記載の発明は、請求項１から４のいずれか１項に記載の発明において、凸部の幅を５ｍｍ以上２０ｍｍ以下としたものであり、消費電力量が低く、容積効率の高い冷蔵庫とすることができる。
【００８４】
また、請求項６に記載の冷蔵庫の発明は、請求項１から５のいずれか１項に記載の発明において、凸部の長さを３５ｍｍ以上５０ｍｍ以下としたものであり、凸部の効果が大きく庫内容積の減少も最小にでき、さらに消費電力量が低くすることができる。
【００８５】
また、請求項７に記載の冷蔵庫の発明は、請求項１から６のいずれか１項に記載の発明において、凸部の折返部にシール部材を設け、閉扉時に凹部の段差部に当接して凸部と貯蔵室内の間をシールするものであり、さらに消費電力量が低くすることができる。
【００８６】
また、請求項８に記載の冷蔵庫の発明は、請求項１から７のいずれか１項に記載の発明において、断熱箱体の開口部を左右に仕切る仕切板を有し、前記開口部に観音開式の扉を備えたものであり、観音扉式での消費電力量の低い冷蔵庫とすることができる。
【図面の簡単な説明】
【図１】本発明による冷蔵庫の実施の形態１の縦断面図
【図２】図１の要部拡大図
【図３】同実施の形態のヒンジに対向する扉シール部の横断面図
【図４】同実施の形態の凸部の幅と省エネ効果の関係を表す特性図
【図５】同実施の形態の凸部の長さと省エネ効果の関係を表す特性図
【図６】本発明による冷温蔵庫の実施の形態２の横断面図
【図７】従来の冷温蔵庫の縦断面図
【図８】従来の冷温蔵庫の横断面図
【符号の説明】
１０  扉
１１  断熱箱体
１２  ヒンジ
１３  凸部
１４  外箱
１５  内箱
１７  凹部
１８  シール部材
２７  仕切板
２８  左凸部
２９  右凸部
１００  スロート
【図１】
2005016876.tif 000003
【図２】
2005016876.tif 000004
【図３】
2005016876.tif 000005
【図４】
2005016876.tif 000006
【図５】
2005016876.tif 000007
【図６】
2005016876.tif 000008
【図７】
2005016876.tif 000009
【図８】
2005016876.tif 000010